(57)【要約】【課題】  バーストモードパケットの受信機及びそのパケットの受信方法を提供する、【解決手段】  受信されるバーストモードパケット信号を検出するバーストモードパケット信号検出部と、検出されたパケット信号を増幅するバーストモードパケット信号増幅部と、バーストモードパケット信号増幅部の反転出力と非反転出力とをそれぞれ負帰還方式で増幅する帰還増幅部と、帰還増幅部の反転出力と非反転出力との差動信号を増幅する差動増幅部と、差動増幅部の出力信号をＡＣカップリングするＡＣカップリング部と、を含むバーストモードパケットの受信機。また、本発明の高速パケットのバーストモードの受信機、検出されたパケット信号の波形を再現する波形再現部をさらに含みうる。【選択図】  図２Ａ
2005312010.tif 000002
【特許請求の範囲】
【請求項１】
受信されるバーストモードパケット信号を検出するバーストモードパケット信号検出部と、
前記検出されたパケット信号を増幅するバーストモードパケット信号増幅部と、
前記バーストモードパケット信号増幅部の反転出力と非反転出力とをそれぞれ負帰還方式で増幅する帰還増幅部と、
前記帰還増幅部の反転出力と非反転出力との差動信号を増幅する差動増幅部と、
前記差動増幅部の出力信号をＡＣカップリングするＡＣカップリング部と、を含むことを特徴とするバーストモードパケットの受信機。
【請求項２】
前記受信機は、
前記検出されたパケット信号の波形を再現する波形再現部をさらに含むことを特徴とする請求項１に記載のバーストモードパケットの受信機。
【請求項３】
前記バーストモードパケット信号検出部は、
光ファイバーと光電変換器で構成され、前記光電変換器は、フォトダイオードとバイアス用のフィルタ抵抗とで構成されることを特徴とする請求項１に記載のバーストモードパケットの受信機。
【請求項４】
前記バーストモードパケット信号増幅部は、
差動出力を有するＴＩＡと、
前記ＴＩＡのための帰還素子Ｚｔと、を含むことを特徴とする請求項１に記載のバーストモードパケットの受信機。
【請求項５】
前記バイアス用のフィルタ抵抗は、
前記バーストモードパケット信号増幅部内のＴＩＡに内蔵されることを特徴とする請求項３に記載のバーストモードパケットの受信機。
【請求項６】
前記帰還増幅部は、
前記ＴＩＡの非反転出力端の出力インピーダンスと帰還素子ＺＦ１とによる負帰還回路及び前記ＴＩＡの反転出力端の出力インピーダンスと帰還素子ＺＦ２とによる負帰還回路で構成されることを特徴とする請求項１に記載のバーストモードパケットの受信機。
【請求項７】
前記ＡＣカップリング部は、
前記差動増幅部の出力端にＡＣカップリングキャパシタを結合させて前記出力信号をＡＣカップリングすることを特徴とする請求項１に記載のバーストモードパケットの受信機。
【請求項８】
前記波形再現部は、
前記出力信号が入力されて前記出力信号の動作クロックと前記動作クロックの反転クロックとを出力するＰＬＬと、
前記出力信号が入力されて前記反転クロックの立ち上がりエッジでだけ前記出力信号を出力させて前記受信されるバーストモードパケット信号の波形を再現するＤ−Ｆｌｉｐ Ｆｌｏｐと、を含むことを特徴とする請求項２に記載のバーストモードパケットの受信機。
【請求項９】
(Ｓ１)受信されるバーストモードパケット信号を検出するバーストモードパケット信号検出段階と、
(Ｓ２)前記バーストモードパケット信号を増幅する段階と、
(Ｓ３)前記Ｓ２段階での増幅信号の反転出力と非反転出力とをそれぞれ負帰還方式で増幅する段階と、
(Ｓ４)前記Ｓ３段階での増幅信号の反転出力信号と非反転出力信号との差動信号を増幅する差動増幅段階と、
(Ｓ５)前記Ｓ４段階の差動増幅信号の出力をＡＣカップリングする段階と、を含むことを特徴とするバーストモードパケットの受信方法。
【請求項１０】
前記受信方法は、
(Ｓ６)前記検出されたパケット信号の波形を再現する波形再現段階をさらに含むことを特徴とする請求項９に記載のバーストモードパケットの受信方法。
【発明の詳細な説明】
【技術分野】
【０００１】
本発明は、高速のバーストモードパケットの受信機及び受信方法に関する。
【背景技術】
【０００２】
既存の光伝送ネットワークは、ＳＯＮＥＴ(Ｓｙｎｃｈｒｏｎｏｕｓ ｏｐｔｉｃａｌ Ｎｅｔｗｏｒｋ)／ＳＤＨ(Ｓｙｎｃｈｒｏｎｏｕｓ Ｄｉｇｉｔａｌ Ｈｉｅｒａｒｃｈｙ)方式のように大体は２点対点（ｐｏｉｎｔ ｔｏ ｐｏｉｎｔ）方式で大容量のデータを高速で伝送する。すなわち、単一送信機と単一受信機で構成された単一リンクを有し、多数の波長を使用するＷＤＭ(Ｗａｖｅ ｌｅｎｇｔｈ Ｄｉｖｉｓｉｏｎ Ｍｕｌｔｉｐｌｅｘ)方式のネットワークの場合にも送信機と受信機間には単一リンクを有する。このような既存の光受信機では大体はＡＣカップリングが使われる。
【０００３】
ＡＣカップリング方式は、高速の受信データをリアルタイム処理する場合に非常に理想的な動作特性を示すが、結合キャパシタによってデータビット列に同じ情報の列の長いパターンが反復される場合(すなわち、．．．０１１１１１０１０．．．のように“１”または“０”が繰り返して発生する場合)にはいわゆるｂａｓｅ ｌｉｎｅ ｗａｎｄｅｒを発生させる。
【０００４】
また、１対多点ネットワーク(ｐｏｉｎｔ−ｔｏ-ｍｕｌｔｉ ｐｏｉｎｔ ｎｅｔｗｏｒｋ)のように上向きチャンネルにＴＤＭＡ(Ｔｉｍｅ Ｄｉｖｉｓｉｏｎ Ｍｕｌｔｉｐｌｅ Ａｃｃｅｓｓ)方式を使用する場合(例えば、ＰＯＮ(Ｐａｓｓｉｖｅ ｏｐｔｉｃａｌ Ｎｅｔｗｏｒｋ))には、先に到着したパケットと次に到着したパケットとの受信電力の差が大きく受信されるビット列の符号判定(ｌｏｇｉｃａｌ‘１'であるかｌｏｇｉｃａｌ‘０'であるかの判定)のための基準値を受信されたパケットごとに再設定しなければならない。ところが、この再設定期間に受信したビット情報が損失される問題点がある。
【０００５】
このような問題点を解決しようとする多様な方案が提示されている。非特許文献１にはＤＣカップリングを使用する方式でピーク検出器と高速電子素子及び多数の帰還回路の採用で前記問題を解決する方案が提示されている。
【０００６】
一方、バーストモードパケット(ｂｕｒｓｔ ｍｏｄｅ ｐａｃｋｅｔ)は、各パケットの受信電力の偏差が激しくて受信されるパケットビット情報の損失が発生する確率が高い。これを解決するための方案として特許文献１には差動増幅器を用いた自動基準調節回路を採用した。
【０００７】
特許文献２には単極信号を両極信号に変換し、一つのパケットの受信終了後に以前の基準値を強制的に初期化して再設定する技法が提示され、特許文献３には入力帰還ループ、出力帰還ループ及び多数のサンプル＆ホールド(Ｓａｍｐｌｅ ａｎｄ ｈｏｌｄ)を用いて基準値を調節する方法が提示されている。
【０００８】
特許文献４にはＴｒａｃｋｉｎｇ Ｐｒｅ−ａｍｐｌｉｆｉｅｒと自動基準制御器(ＡＴＣ:Ａｕｔｏｍａｔｉｃ Ｔｈｒｅｓｈｏｌｄ ｃｏｎｔｒｏｌｌｅｒ)を組合わせた回路が提示されており、また、ピーク検出のために特許文献５にはＡＴＣと自動利得制御器(ＡＧＣ:Ａｕｔｏｍａｔｉｃ Ｇａｉｎ Ｃｏｎｔｒｏｌ)及びメモリを結合した回路を用いて受信される各パケットに基準値とレベルを学習させる技法が提示されている。
【０００９】
特許文献６には平均検出器とピーク検出器及びパケットの受信終了後に強制的に放電するＡＯＣ(Ａｕｔｏｍａｔｉｃ ＤＣ Ｏｆｆｓｅｔ Ｃｏｎｔｒｏｌｌｅｒ)が提示されており、特許文献７には受信された光信号をカプラーを用いて２つの信号に分離し、帯域幅の異なる２つの増幅器を使って低帯域幅を有する増幅器の出力を用いて基準値を選定する方案が提示されている。
【００１０】
しかし、前記方案は高速の電子素子を必要とし、回路構成の複雑性によって具現に難点がある。
【００１１】
また、非特許文献２によれば、ＤＣカップリング方式の問題点を解決するためにＡＣカップリング方式を使用する方式が提案されている。ところが、本方式は使用するデータパケットのラインコードがＭａｎｃｈｅｓｔｅｒ ｃｏｄｅと制限されるので伝送帯域幅の拡充が要求され、高速で動作する素子を必要とする問題点がある。
【００１２】
一方、特許文献８では、受信された入力光信号をスプリッタを使って２つに分離し、分離された一方の光信号に対して遅延素子と差動帰還回路とを用いて増幅器を構成し、他方の光信号に対しては帰還信号を用いた増幅器を構成し、この二光信号の差動信号を差動増幅器を用いて増幅させてｄｉｆｆｅｒｅｎｔｉａｌ ｂｉｐｏｌａｒ ｓｉｇｎａｌを獲得した後にＤ−ｔｙｐｅ Ｆｌｉｐ／Ｆｌｏｐに通過させて本来のデータ信号を獲得する方式が提示されている。
【００１３】
本方式によれば、一般的に広く使われるＮＲＺ(Ｎｏｎｅ Ｒｅｔｕｒｎ ｔｏ Ｚｅｒｏ)コードで伝送されるバーストモードパケットにもＡＣカップリング方式を適用できるが、２つの光受信機とスプリッタを使用するために回路の具現が複雑で、かつ高速のアナログ差動増幅器を使用せねばならない問題点がある。
【００１４】
そして、特許文献９では、実際のデータビットが変化するエッジ(すなわち、ｌｏｇｉｃａｌ １→０または０→１に変化する場合)を駆動エッジと定義し、データビットが変化しないエッジを非駆動エッジと規定して非駆動エッジの時定数を駆動エッジの時定数よりは大きく、ＩＰＧ(Ｉｎｔｅｒ Ｐａｃｋｅｔ Ｇａｐ)よりは小さくする形態のＡＣカップリング方式によるバーストモード受信方式が提示されている。
【００１５】
本方式は、光受信機に使用するＴＩＡ（Ｔｒａｎｓ Ｉｍｐｅｄａｎｃｅ Ａｍｐｌｉｆｉｅｒ）以後に正帰還をかける差動増幅器とフィルタ、正帰還方式による比較器を使用しなければならないので、１０Ｇｂ級以上の高速である場合には回路が複雑になるか、あるいは不安定に動作する恐れがある。
【特許文献１】米国特許第５，０２５，４５６号公報
【特許文献２】米国特許第５，８３８，７３１号公報
【特許文献３】米国特許第５，８０１，８６７号公報
【特許文献４】米国特許第５，８７５，０５０号公報
【特許文献５】米国特許第６，１１５，１６３号公報
【特許文献６】米国特許第６，１９１，８７９  Ｂ１号公報
【特許文献７】米国特許第６，３６２，９１１  Ｂ１号公報
【特許文献８】米国特許第５，７３７，３６６号公報
【特許文献９】米国特許第６，４２０，９２８  Ｂ１号公報
【非特許文献１】“Ｂｕｒｓｔ−Ｍｏｄｅ Ｃｏｍｐａｔｉｂｌｅ ｏｐｔｉｃａｌ Ｒｅｃｅｉｖｅｒ Ｗｉｔｈ Ａ Ｌａｒｇｅ Ｄｙｎａｍｉｃ Ｒａｎｇｅ” （ＩＥＥＥ Ｊｏｕｒｎａｌ ｏｆ Ｌｉｇｈｔｗａｖｅ Ｔｅｃｈ., ＶＯＬ.８, Ｎｏ.１２, ｐｐ １８９７−１９０３, Ｄｅｃ., １９９０）
【非特許文献２】“Ｂｕｒｓｔ−ｍｏｄｅ ｄｉｆｆｅｒｅｎｔｉａｌ ｒｅｃｅｉｖｅｒ ｆｏｒ ｏｐｔｉｃａｌ ｐａｃｋｅｔ ｃｏｍｍｕｎｉｃａｔｉｏｎ” （Ｅｌｅｃｔｒｏｎｉｃｓ Ｌｅｔｔｅｒｓ, Ｖｏｌ.３２, Ｎｏ.１６, ｐｐ.１５００−１５０１, Ａｕｇ. １９９６）
【発明の開示】
【発明が解決しようとする課題】
【００１６】
本発明は前記問題点を解決するためになされたものであって、本発明の目的は、バーストモードパケットを高速で受信する場合、受信されるパケットの受信電力の偏差が非常に激しくても入力される(受信される)パケットビット情報の損失を最小化しうるバーストモードパケットの受信機及びそのパケットの受信方法を提供することである。
【課題を解決するための手段】
【００１７】
前記技術的課題を達成するために本明細書で開示するバーストモードパケットの受信機は、受信されるバーストモードパケット信号を検出するバーストモードパケット信号検出部と、検出されたパケット信号を増幅するバーストモードパケット信号増幅部と、バーストモードパケット信号増幅部の反転出力と非反転出力とをそれぞれ負帰還方式で増幅する帰還増幅部と、帰還増幅部の反転出力と非反転出力との差動信号を増幅する差動増幅部と、差動増幅部の出力信号をＡＣカップリングするＡＣカップリング部と、を含む。
【００１８】
本明細書で開示する高速パケットのバーストモードの受信機は、検出されたパケット信号の波形を再現する波形再現部をさらに含みうる。
【００１９】
また、前記目的及び技術的課題を達成するために本明細書で開示するパケットの受信方法は、(Ｓ１)受信されるバーストモードパケット信号を検出するバーストモードパケット信号検出段階と、(Ｓ２)検出されたバーストモードパケット信号を増幅する段階と、(Ｓ３)Ｓ２段階での増幅信号の反転出力と非反転出力とをそれぞれ負帰還方式で増幅する段階と、(Ｓ４)Ｓ３段階での増幅信号の反転出力信号と非反転出力信号との差動信号を増幅する差動増幅段階と、(Ｓ５)Ｓ４段階の差動増幅信号の出力をＡＣカップリングする段階と、を含む。
【００２０】
本明細書で開示するパケットの受信方法は、(Ｓ６)検出されたパケット信号の波形を再現する波形再現段階をさらに含みうる。
【発明の効果】
【００２１】
本発明は、バーストモードパケットを高速で受信する場合、受信されるパケットの受信電力の偏差が非常に大きくても入力されるビット情報の損失を最小化して受信する方法及びその構成であって、実現が容易なＡＣ結合を使用しうる。また、使われるアナログ素子の差動帰還増幅器及び差動増幅器の動作帯域幅が受信されるデータパケット速度に関してだけ要求される利点がある。
【００２２】
発明の原理から見れば、バーストモード受信機を構成する時、一つのＴＩＡを差動帰還回路方式で構成し、以後に差動増幅器を接続したＡＣカップリング方式の構成であり、高速動作が可能な単純構造で構成できる長所を提供する。また、再生されたバーストモードのビット列に対するパルス再現を希望する場合には、既存の非バーストモード受信機に使用した位相制御ループを使用しうる手段を提供する利点がある。
【発明を実施するための最良の形態】
【００２３】
本発明の構成及び動作の詳細な説明に先立って、理解の便宜のために本発明の特徴を簡単に提示する。
【００２４】
本明細書で開示する受信機は、ＴＩＡ、差動帰還回路、及び差動増幅器を結合し、キャパシタを使ってＡＣカップリングする方式で構成され、パルス再現が必要な場合にパルス再現部がさらに追加される。
【００２５】
“Ｓｉｍｕｌａｔｉｏｎ ｏｆ Ｒｅｔｕｒｎ Ｒａｔｉｏ ｉｎ Ｆｕｌｌｙ Ｄｉｆｆｅｒｅｎｔｉａｌ Ｆｅｅｄｂａｃｋ Ｃｉｒｃｕｉｔｓ” (ＩＥＥＥ １９９４ Ｃｕｓｔｏｍ Ｉｎｔｅｇｒａｔｅｄ Ｃｉｒｃｕｉｔｓ Ｃｏｎｆｅｒｅｎｃｅ, ｐｐ.２９−３２, Ａｕｇ. １９９４)および“Ａｎ Ａｐｐｒｏａｃｈ ｔｏ Ｆｕｌｌｙ Ｄｉｆｆｅｒｅｎｔｉａｌ Ｃｉｒｃｕｉｔｓ Ｄｅｓｉｇｎ ｗｉｔｈｏｕｔ Ｃｏｍｍｏｎ−Ｍｏｄｅ Ｆｅｅｄｂａｃｋ” (ＩＥＥＥ Ｔｒａｎｓ. ｏｎ Ｃｉｒｃｕｉｔｓ ａｎｄ Ｓｙｓｔｅｍｓ−II: Ａｎａｌｏｇ ａｎｄ Ｄｉｇｉｔａｌ Ｓｉｇｎａｌ Ｐｒｏｃｅｓｓｉｎｇ, Ｖｏｌ. ４３, Ｎｏ. １１, ｐｐ. ７５２−７６２, Ｎｏｖ. １９９６)によれば、差動帰還増幅器は通常モードの撹乱に強くてその出力が向上し、偶数−次歪みが相殺される特性がある。
【００２６】
このような差動帰還増幅器の特性を用いて本明細書で開示する発明は、前記目的及び技術的課題を達成するために一般的に使われる光受信機の光電変換器にＴＩＡを使用し、これに差動帰還増幅器を結合する方式を使用する。
【００２７】
以下、本発明の技術的思想を明確にするために本発明の実施例に基づいてその構成及び動作を添付した図面を参照して詳細に説明する。図面における参照番号は、同一構成要素に対してはたとえ他の図面上にあっても同一参照番号を付与し、当該図面に対する説明において必要な場合に他の図面の構成要素が引用できることを予め明白にしておく。
【００２８】
図１は、一般的なパケット受信機にバーストモードパケットが受信される形態の一例を示した図面であって、パケットＡ１０１、パケットＢ１０２、パケットＣ１０３はそれぞれ相異なる送信機から伝送されたデータパケットを示す。
【００２９】
各パケットの送信機から受信機までの距離が相異なるので受信機に受信されたパケット信号の大きさは図１のように偏差が大きい。また、パケットとパケットとの間、すなわちパケットデータが伝送されていない時間はｉｄｌｅ ｐｅｒｉｏｄで、そのｉｄｌｅ ｐｅｒｉｏｄの間隔も一定でない。そして、参照符号１０４は、ｉｄｌｅ ｐｅｒｉｏｄ間に受信されるノイズ(図１に太い線で表示された部分)を示すが、このようなノイズは図１に示されたようにパケットが受信される間にもパケット信号に重複されて現れる。
【００３０】
図２Ａは、本明細書で開示する受信機の望ましい一構成を示した図面であり、図２Ｂは本明細書で開示する望ましい受信方法を示すフローチャートである。
【００３１】
図２Ａを参照すれば、本明細書で開示する受信機は、バーストモードパケット信号検出部２１０、バーストモードパケット信号増幅部２２０、差動帰還増幅部２３０、差動増幅部２４０、ＡＣカップリング部２５０を含む。
【００３２】
バーストモードパケット信号検出部２１０は、光ファイバー２０１と光電変換器２０２とで構成されるが、送信機から光ファイバー２０１を通じて伝送されたバーストモードパケット光信号は光電変換器２０２により電気信号に変換されて検出される(Ｓ１)。この時、光ファイバー２０１は１対多点通信で使われる伝送媒体である光ファイバーを示したものであり、光電変換器２０２は、フォトダイオードとバイアスのためのフィルタ抵抗とで構成され、フィルタ抵抗はＴＩＡ２０３に内蔵されてもよい。
【００３３】
そして、図２Ａに示された光ファイバー２０１と光電変換器２０２とは、光ファイバーを通じてバーストモード伝送をするＰＯＮである場合を示し、無線で伝送する場合に使用する時はその方式に合う媒体及び変換器を使用すれば他の形態への具現も可能である。
【００３４】
バーストモードパケット信号増幅部２２０は、検出されたバーストモードパケット信号を増幅させるが(Ｓ２)、差動出力を有するＴＩＡ２０３と帰還素子Ｚｔ２０４とで構成される。
【００３５】
差動帰還増幅部２３０は、ＴＩＡ２０３の反転出力端と非反転出力端の差動信号を増幅し(Ｓ３)、ＴＩＡ２０３の非反転出力端Ａ１の出力インピーダンスと帰還素子ＺＦ１２０６による負帰還回路、及びＴＩＡ２０３の反転出力端Ｂ１の出力インピーダンスと帰還素子ＺＦ２２０７による負帰還回路で構成される。
【００３６】
図２Ａにおける差動増幅部２４０の差動増幅器２０８は、差動帰還増幅部２３０の非反転出力信号と反転出力信号との差動信号を増幅し(Ｓ４)、ＡＣカップリング部２５０は、この増幅された信号をＡＣカップリングキャパシタ２０９を通じてＡＣカップリングさせ(Ｓ５)、差動帰還増幅部２３０の非反転出力信号と反転出力信号との差動信号を増幅させた信号を出力する。
【００３７】
図２Ｃは、図２Ａに示された受信機に入力される(受信される)データビット列に対する各位置Ａ１、Ａ２、Ｂ１、Ｂ２、Ｃにおける信号波形の一例を示した図面である。
【００３８】
図２Ｃを参照すれば、データ(具体的に、データビット列‘１１０１００１０')が受信された時、Ａ１ＷはＴＩＡ２０３の非反転出力端Ａ１の波形を示し、Ｂ１ＷはＴＩＡ２０３の反転出力端Ｂ１の波形を示す。また、Ａ２Ｗは差動帰還増幅部２３０の反転出力端Ａ２の波形を示し、Ｂ２Ｗは差動帰還増幅部２３０の非反転出力端Ｂ２の波形を示す。ＣＷは差動帰還増幅部２３０の反転出力端Ａ２と非反転出力端Ｂ２との差動信号が差動増幅器２０８及びＡＣカップリングキャパシタ２０９を通過した信号(以下、‘出力信号'）の波形を示す。
【００３９】
図２Ｄは、波形再現部の構成を示した図面であり、図２Ｅは、図２Ｄに示された波形再現部の各地点Ｄ、Ｅ、Ｆ、Ｇにおける信号波形の一例を示した図面であり、ＤＷはＡＣカップリングキャパシタ２０９の出力端Ｄの波形を示し、ＥＷはＰＬＬ２６０２のクロック出力端Ｅの波形を示す。また、ＦＷはＰＬＬ２６０２の反転出力端Ｆの波形を示し、ＧＷはＤ−Ｆ／Ｆ２６０１の出力端Ｇの波形を示す。
【００４０】
図２Ｄを参照すれば、波形再現部２６０はＤ−Ｆｌｉｐ Ｆｌｏｐ(以下、Ｄ−Ｆ／Ｆ)２６０１及び位相制御ループ(ＰＬＬ:Ｐｈａｓｅ Ｌｏｃｋｅｄ Ｌｏｏｐ)２６０２で構成される。
【００４１】
ＰＬＬ２６０２は、出力信号、すなわち、ＤＷが印加されればＤＷの動作クロックＣｋ及び反転クロックを出力し、ＤＷが印加されない場合には自身のｆｒｅｅ−ｒｕｎｎｉｎｇクロックを出力する通常の位相制御ループ(ＰＬＬ)である。
【００４２】
Ｄ−Ｆ／Ｆ２６０１は、自身に入力されるクロックＦＷの立ち上がりエッジ２１３でＤＷを出力させて受信機に入力されたパケットパルス信号を再現する。パルス信号の再現は、図２Ａに示す差動帰還増幅部２３０及び差動増幅器２０８内部のｔｈｒｅｓｈｏｌｄ ｕｎｂａｌａｎｃｅまたはｈｙｓｔｅｒｅｓｉｓ現象などにより、図２Ａに示すＡＣカップリングキャパシタ２０９以後の出力波形が図２ＣのＣＷのような波形になれず、図２ＥのＤＷのようになる場合(例えば、図２Ｅの２１２のような現象で受信信号より時間的に多少長く信号が再現される場合)にｌｏｇｉｃａｌ “ｏｎｅ”とｌｏｇｉｃａｌ“ｚｅｒｏ”の時間軸上での長さ比率を同一に調節するために必要である。前記比率が同一でない場合、送信機から伝送された信号が受信機で正確に再現されない恐れがあるのでこのような波形再現操作が必要である。
【００４３】
出力端Ｄにデータ(具体的に、データビット列‘１１０１００１０'でＡＣカップリングキャパシタ２０９の出力信号)が印加された時、ＰＬＬ２６０２は前記データのクロックと同期されたクロックＥＷとＥＷの反転クロックＦＷを出力する。反転クロックＦＷは、立ち上がりエッジで動作するＤ−Ｆ／Ｆ２６０１の動作クロック入力端２１０１に結合されて反転クロックＦＷの立ち上がりエッジごとにＤＷに該当する信号がＤ−Ｆ／Ｆ２６０１の出力端Ｇに伝えられてＧＷが生成され、この波形が受信機に受信されたパケットパルス信号が再現された信号である。ＧＷは、図２Ｄに示されたように、ＤＷより１／２クロックほど遅延された波形であり、この遅延によってｌｏｇｉｃａｌ “ｏｎｅ”とｌｏｇｉｃａｌ“ｚｅｒｏ”の時間軸上での長さ比率が同一になる。
【００４４】
本発明は、コンピュータで読み取れる記録媒体にコンピュータで読み取れるコードとして具現可能である。コンピュータで読み取れる記録媒体はコンピュータシステムによって読み取れるデータが保存されるあらゆる種類の記録装置を含む。
【００４５】
コンピュータで読み取れる記録媒体の例としては、ＲＯＭ、ＲＡＭ、ＣＤ−ＲＯＭ、磁気テープ、フロッピーディスク、光データ保存装置などがあり、また、キャリアウェーブ(例えば、インターネットを通じた伝送)の形態で実現されることも含む。また、コンピュータが読み取れる記録媒体はネットワークで結合されたコンピュータシステムに分散され、分散方式でコンピュータが読み取れるコードが保存され、実行されうる。
【００４６】
以上、本発明についてその望ましい実施例を中心として説明した。当業者は、本発明が本発明の本質的な特性から外れない範囲で変形された形態に具現されうることが分かる。
【００４７】
したがって開示された実施例は、限定的な観点ではなく説明的な観点で考慮しなければならない。本発明の範囲は、前述した説明でなく特許請求の範囲に現れており、それと同等な範囲内にある全ての差異点は本発明に含まれていると解釈されなければならない。
【産業上の利用可能性】
【００４８】
本発明は、ネットワーク通信または光通信データ送受信関連ディバイスで用いられる。
【図面の簡単な説明】
【００４９】
【図１】一般的なパケット受信機にバーストモードパケットが受信される形態の一例を示した図面である。
【図２Ａ】本発明に係る受信機の望ましい一構成を示した図面である。
【図２Ｂ】本発明に係る望ましい受信方法を示したフローチャートである。
【図２Ｃ】図２Ａに示された受信機に入力されるデータビット列に対する各位置Ａ１、Ａ２、Ｂ１、Ｂ２、Ｃにおける信号波形の一例を示した図面である。
【図２Ｄ】波形再現部の構成を示した図面である。
【図２Ｅ】図２Ｄに示されたパルス再現部の各位置Ｄ、Ｅ、Ｆ、Ｇにおける信号波形の一例を示した図面である。
【符号の説明】
【００５０】
２１０    バーストモードパケット信号検出部
２２０    バーストモードパケット信号増幅部
２３０    差動帰還増幅部
２４０    差動増幅部
２５０    ＡＣカップリング部
２６０    波形再現部
【図１】
2005312010.tif 000003
【図２Ａ】
2005312010.tif 000004
【図２Ｂ】
2005312010.tif 000005
【図２Ｃ】
2005312010.tif 000006
【図２Ｄ】
2005312010.tif 000007
【図２Ｅ】
2005312010.tif 000008